(57)【特許請求の範囲】
【請求項１】
コンクリートダムの堤体中に設けられる通廊を形成するために用いられるプレキャストコンクリート製のユニットであって、頂部と、底部と、該頂部および底部に連なる２つの側部と、前記底部に上下動可能に取り付けられた複数の脚と、各側部に取り付けられた被連結部材とを含み、
前記頂部が、水平面および該水平面から下方に向けて傾斜する傾斜面からなる内面を有し、また、前記底部が下方に向けて傾斜する階段を有する、ユニット。
【請求項２】
前記脚は、前記底部に埋め込まれた板部材に設けられた孔に通されまた前記板部材の上下に配置された一対のナットと噛み合う、上下方向へ伸びるねじ節鉄筋片からなる、請求項１に記載のユニット。
【請求項３】
前記脚は、前記底部に埋め込まれ該底部を貫通する雌ねじ部材に螺合された雄ねじ部材からなる、請求項１に記載のユニット。
【請求項４】
前記底部が、傾斜面を含む外面を有する、請求項１に記載のユニット。
【請求項５】
前記底部に設けられた排水用溝を含み、該排水用溝は前記階段の蹴上げの上端の高さ位置で開放する開放面を有する、請求項１に記載のユニット。
【請求項６】
互いに突き合わされた環状体と、両環状体に埋め込まれ両環状体の一方から他方へ伸びる環状の止水板とを含む、請求項１に記載のユニット。
【請求項７】
コンクリートダムの堤体中に設けられる通廊の交差部の構造であって、複数の継手を有し該継手を介して互いに連結された複数のプレキャストコンクリート製ユニットを含み、前記ユニットが、軸線方向に互いに相対する一対の開口を有する単一の第１のユニットと、軸線方向に互いに相対する一対の開口およびこれらの両開口に連なりかつ両開口に直交する直交開口を有する複数の第２のユニットと、軸線方向に互いに相対する一対の開口およびこれらの両開口の一方に連なりかつ該一方の開口に直交する直交開口を有する複数の第３のユニットとからなり、前記第１のユニットがその一方の開口と第２および第３のユニットの直交開口とが連なるように前記第２および第３のユニットに連結され、また、前記第２および第３のユニットが、これらの開口が連通するように互いに連結されており、前記第１のユニットが、その頂部および底部の少なくとも一方に埋め込まれ該ユニットの軸線方向に互いに相対する両継手を連結する鉄筋を有し、前記第２のユニットが、その頂部および底部の少なくとも一方に埋め込まれ該ユニットの軸線方向に互いに相対する両継手を連結する鉄筋と他の継手に固定され前記鉄筋と直交する鉄筋とを有し、また、前記第３のユニットが、その頂部および底部の少なくとも一方に埋め込まれ該ユニットの互いに相対する両継手を連結する鉄筋および他の継手に固定され前記鉄筋と直交する鉄筋を有する、通廊の交差部の構造。
【請求項８】
コンクリートダムの堤体中に設けられる通廊の交差部の構造であって、複数の継手を有し該継手を介して互いに連結された複数のプレキャストコンクリート製ユニットを含み、前記ユニットが、軸線方向に互いに相対する一対の開口を有する単一の第１のユニットと、軸線方向に互いに相対する一対の開口およびこれらの両開口に連なりかつ両開口に直交する直交開口を有する複数の第２のユニットと、互いに相対する一対の開口およびこれらの両開口の一方に連なりかつ該一方の開口に直交する直交開口を有する第３のユニットと、軸線方向に開放する単一の開口および該開口に連なりかつ該開口に直交する直交開口を有する第４のユニットとを含み、前記第１のユニットがその一方の開口と第２、第３および第４のユニットの直交開口とが連なるように前記第２、第３および第４のユニットに連結され、前記第２のユニットが相互に連結され、また、前記第２のユニットに前記第３のユニットが連結されており、前記第１のユニットが、その頂部および底部の少なくとも一方に埋め込まれ該ユニットの軸線方向に互いに相対する両継手を連結する鉄筋を有し、前記第２のユニットが、その頂部および底部の少なくとも一方に埋め込まれ該ユニットの軸線方向に互いに相対する両継手を連結する鉄筋と他の継手に固定され前記鉄筋と直交する鉄筋とを有し、前記第３のユニットが、その頂部および底部の少なくとも一方に埋め込まれ該ユニットの互いに相対する両継手を連結する鉄筋および他の継手に固定され前記鉄筋と直交する鉄筋を有し、また、前記第４のユニットが、その頂部および底部の少なくとも一方に埋め込まれ該ユニットの継手に固定され該ユニットの軸線方向へ伸びる鉄筋を有する、通廊の交差部の構造。
【請求項９】
コンクリートダムの堤体中に設けられる通廊の交差部の構造であって、互いに連結された複数のプレキャストコンクリート製ユニットと、これらのユニットの頂部上および底部下の少なくとも一方に配置され互いに直交する複数の鉄筋とを含み、前記ユニットが、軸線方向に互いに相対する一対の開口を有する第１のユニットと、軸線方向に互いに相対する一対の開口およびこれらの両開口に連なりかつ両開口に直交する直交開口を有する複数の第２のユニットと、互いに相対する一対の開口およびこれらの両開口の一方に連なりかつ該一方の開口に直交する直交開口を有する複数の第３のユニットとからなり、前記第１のユニットがその一方の開口と第２および第３のユニットの直交開口とが連なるように前記第２および第３のユニットに連結され、また、前記第２および第３のユニットが、これらの開口が連通するように互いに連結されている、通廊の交差部の構造。
【請求項１０】
コンクリートダムの堤体中に設けられる通廊の交差部の構造であって、互いに連結された複数のプレキャストコンクリート製ユニットと、これらのユニットの頂部上および底部下の少なくとも一方に配置され互いに直交する複数の鉄筋とを含み、前記ユニットが、軸線方向に互いに相対する一対の開口を有する第１のユニットと、軸線方向に互いに相対する一対の開口およびこれらの両開口に連なりかつ両開口に直交する直交開口を有する複数の第２のユニットと、軸線方向に互いに相対する一対の開口およびこれらの両開口の一方に連なりかつ該一方の開口に直交する直交開口を有する第３のユニットと、軸線方向に開放する単一の開口および該開口に連なりかつ該開口に直交する直交開口を有する第４のユニットとを含み、前記第１のユニットがその一方の開口と第２、第３および第４のユニットの直交開口とが連なるように前記第２、第３および第４のユニットに連結され、前記第２のユニットが相互に連結され、また、第３および第４のユニットが前記第２のユニットに連結されている、通廊の交差部の構造。
【発明の詳細な説明】
【０００１】
【発明の属する技術分野】
本発明は、コンクリートダム、特に重力ダムの堤体内に通廊を設けるために用いられるプレキャストコンクリート製のユニット、その据え付け方法および前記通廊の交差部の構造に関する。
【０００２】
【従来の技術】
重力ダムの堤体には該堤体内を水平および斜めに伸びる通廊が設けられる。通廊は、互いに連結された環状または筒状の複数のユニットからなる。各ユニットは、プレキャストコンクリート製のそれであって、堤体構築のために上下方向および水平方向に関して複数回に分けて打たれる何れかの回のコンクリートの面上（すなわち構築途上の堤体上）に据え付けられる。前記コンクリート面上に据え付けられたユニットは、その後、堤体構築のためにさらに打設されるコンクリート中に埋設される。
【０００３】
従来、前記コンクリート面上に前記ユニットを据え付けるのに架台を介して行うことが提案されている（特開平８−１８４０２５号参照）。
【０００４】
これによれば、前記架台を介して、各ユニットが、前記コンクリート面上に安定的に設置される。しかし、その反面、前記架台を前記コンクリート面に固定するためのアンカー筋を前記コンクリート中に高精度に配列しておく必要があり、また、前記架台と前記アンカー筋とを固定するための両者の溶接作業には時間と労力を要し、さらに、前記溶接作業は天候に左右される。このため、前記従来のユニットの据え付け作業はその能率の点で十分でない。
【０００５】
堤体中に設けられる前記通廊は、水平に伸びる水平部と、斜め上方または斜め下方に伸びる斜廊部と、前記水平部と前記斜廊部との間に配置される昇り口部または降り口部とからなる。
【０００６】
通廊の水平部を構成する前記従来のユニットは、水平に伸びる頂部および底部を有し、前記斜廊部を構成するユニットは傾斜面からなる頂部外面と、水平面からなる底部外面とを有する。また、昇り口部を構成するユニットは、上方へ向けて伸びる斜面からなる頂部内面と水平面からなる底部内面とを有し、前記降り口部を構成するユニットは、水平面からなる頂部内面と底部に設けられ下方へ伸びる階段とを有する。
【０００７】
これらのユニットのうち、前記斜廊部を構成するユニットの底部には階段および排水用溝が設けられ、また、前記降り口部を構成する各ユニットの底部には階段と共に排水用溝が設けられるところ、いずれのユニットにおいても、前記排水用溝の開放面が前記階段の蹴上げの上端より低いレベルにある。このため、前記ユニットの底部は前記排水用溝を規定し得るようにその外面が水平面からなり、比較的厚い厚さ寸法を有する。厚さ寸法の大きい底部のユニットは、前記水平部や昇り口部の構成ユニットに比べて重量が大きく、前記コンクリート面上への据え付け作業における取り扱いに不便である。
【０００８】
前記昇り口部および降り口部を構成するユニットは、いずれも、その頂部内面とその底部内面との間の高さ寸法が軸線方向に関して漸減または漸増する。また、これらのユニットは、それぞれ、前記水平部のユニットと前記斜廊部のユニットとに接続される関係上、その両端部における高さ寸法が前記水平部のユニットの開口の高さおよび前記斜廊部ユニットの開口の高さに合致するするものでなければならない。このことから、前記昇り口部および降り口部のユニットの軸線方向に関する幅寸法は自ずと定まり、その寸法を任意に定めることができない。このため、前記昇り口部または降り口部の構成ユニットを含む複数のユニットが前記コンクリートの打設区画内に収まるように他のユニットの幅寸法を定める上で設計上の制限を受ける。
【０００９】
前記通廊は、さらに、直角に交差する交差部、すなわち直角に分岐する部分と、直角に折れ曲がる部分とを有する。前記従来の交差部は、前記水平部の構成ユニットを変形してなる複数の変形ユニットと補強鉄筋とからなる。すなわち、前記水平部の構成ユニットの一端部を部分的に切り欠いてなる２つの変形ユニットと、これらの両変形ユニットの切り欠きに受け入れられた、Ｖ形に突出する開放一端部を有し、前記両変形ユニットと直交する他の変形ユニットと、これらの頂部上に配置され前記両変形ユニットの軸線方向へ伸びる複数の鉄筋および該鉄筋と直交しかつ前記他の変形ユニットの軸線方向へ伸びる複数の鉄筋とからなる。
【００１０】
この交差部の構造にあっては、前記補強鉄筋は、前記２つの変形ユニットと前記他の変形ユニットとの接合面に対して直交しておらず、このため、前記変形ユニット相互の分離抵抗には十分な寄与をしない。
【００１１】
【発明が解決しようとする課題】
本発明の目的は、取り扱いに便利なユニットを提供することにある。さらに、本発明の他の目的は、軸線方向に関する長さ寸法を任意に定めることができる、降り口部のユニットを提供することにある。さらに、本発明の目的は、ユニット相互の分離抵抗の高い通廊交差部の構造を提供することにある。
【００１２】
【課題を解決するための手段、作用および効果】
本発明に係るユニットのコンクリート面上への設置方法にあっては、上下動可能の複数の脚とアイボルトのような複数の被連結部材とが取り付けられたプレキャストコンクリート製のユニットを前記コンクリート面上に前記脚を介して配置する。次に、前記ユニットを前記コンクリート面に固定する。固定は、前記コンクリートに植え込まれたアンカー部材および前記被連結部材とをターンバックルを介して互いに連結することにより行う。
【００１３】
本発明によれば、前記脚を上下に動かし、前記ユニットからの前記脚の突出長さを調節することができ、これにより、不陸のある前記コンクリート面上への前記ユニットの水平設置を容易に行うことができる。また、ターンバックルを介しての前記コンクリート面のアンカー部材と前記ユニットの被連結部材との相互連結により、前記ユニットの前記コンクリート面への固定を容易に行うことができる。
【００１４】
環状または筒状を呈し、頂部と、底部と、該頂部および底部に連なる２つの側部とを有する前記ユニットに取り付けられる前記脚は、前記ユニットの底部に埋め込まれた板部材に設けられた孔に通されまた前記板部材の上下に配置された一対のナットと噛み合う、上下方向へ伸びるねじ節鉄筋片からなるものとすることができる。前記脚は、また、前記底部に埋め込まれ該底部を貫通する雌ねじ部材に螺合された雄ねじ部材からなるものとすることができる。
【００１５】
前記ねじ節鉄筋片からなる脚は、前記板部材に対する両ナットの締め付けにより、前記ユニットに固定することができ、また、前記両ナットの一方を緩めることにより、前記ユニットに対して上下動させることができる。前記雄ねじ部材からなる脚にあっては、前記雄ねじ部材を前記雌ねじ部材に対して回転させることにより、上下動させることができる。前記雄ねじ部材は、堤体を構築するために前記コンクリート面上に打たれるコンクリートに埋設された後、これを回転させて、前記コンクリートから引き剥がしかつ前記雌ねじ部材から分離して取り除くことができる。取り除いた雄ねじ部材は、再使用に供することができる。
【００１６】
前記ユニットは、その底部が、その両側部から互いに他の一方の側に向けてかつ下方へ傾斜する２つの傾斜面、前記通廊の軸線方向に関して伸びる傾斜面等からなる外面を有するものとすることができる。これによれば、前記ユニットの設置後、堤体構築のためのコンクリートが打設されるとき、前記コンクリート中に含まれる空気が前記底部の傾斜面に沿って上方へ移動することができ、これにより、前記ユニットかに気泡が溜まらないようにすることができる。前記傾斜面の傾斜方向、傾斜角度、傾斜面の数量等は任意に設定することができる。
【００１７】
また、その底部の外面が傾斜していることから、前記底部外面を水平面からなるものに設定する従来のユニットと比べて、前記底部の厚さが小さく、このため、ユニットの重量は小さい。ユニットの軽量化によりその取り扱いを容易にすることができる。
【００１８】
本発明に係るユニットは、頂部が水平面および該水平面から下方に向けて傾斜する傾斜面からなる内面を有し、また下方に向けて伸びる階段を有する。
【００１９】
このユニットは、降り口部を構成するユニットである。このユニットは、前記通廊の水平部と前記斜廊部との間に配置されるところ、前記斜廊部に接することとなる一方の端部の高さ寸法は頂部の傾斜面と底部の階段とに規定され、これらの間の高さ寸法は軸線方向の長さの大小に拘わらず一定である。このことから、堤体構築のためのコンクリート打設区域の長さに応じて前記降り口部の構成ユニットの軸線方向長さを設定することができ、したがって、また、大多数を占める水平部および斜廊部の構成ユニットについて異なる軸線方向長さのものを準備する必要はない。
【００２０】
前記降り口部の構成ユニットは、さらに、その底部に設けられた排水用溝を含み、該排水用溝は前記階段の蹴上げの上端の高さ位置で開放する開放面を有する。
【００２１】
前記排水用溝が前記階段の蹴揚の上端の高さ位置で開放するように定めることにより、従来に比べて、前記溝の底面の高さ位置をより上方に設定することができ、これにより、前記溝が設けられる底部の厚さ寸法をより小さいものとし、ユニットの重量をより軽減することができる。
【００２２】
前記ユニットは、互いに突き合わされた環状体と、両環状体に埋め込まれ両環状体の一方から他方へ伸びる環状の止水板とを有するものからなるものとすることができる。
【００２３】
このユニットは、特に、堤体構築用コンクリートの打設区画相互に跨って配置されるユニットとして好適である。これによれば、前記ユニットを規定する両環状体に埋め込まれた止水板が、両打設区画間から滲み出る水の前記ユニット内への侵入を阻止する。
【００２４】
通廊は、直角に交わる分岐路（Ｔ形交差部）および直角な折れ曲がりのような交差部（Ｌ形交差部）を有する。本発明はこの交差部の構造を提供する。
【００２５】
本発明の交差部は、互いに連結された複数のプレキャストコンクリート製ユニットを含む。前記複数のユニットは、第１ないし第３のユニットあるいはさらに第４のユニットを含む。前記第１のユニットは、その軸線方向に互いに相対する一対の開口を有する。前記第２のユニットは、その軸線方向に互いに相対する一対の開口と、これらの両開口に連なりかつ両開口に直交する直交開口とを有する。前記第３のユニットは、その軸線方向に互いに相対する一対の開口と、これらの両開口の一方に連なりかつ該一方の開口に直交する直交開口とを有する。また、前記第４のユニットは、その軸線方向に開放する単一の開口と該開口に連なりかつ該開口に直交する直交開口とを有する。Ｔ形交差部にあっては、前記第１のユニットがその一方の開口と第２および第３のユニットの直交開口とが連なるように該第２および第３のユニットに連結され、前記第２のユニットは相互に連結され、また、前記第３のユニットは前記第２のユニットにこれらの開口が連なるように連結されている。また、Ｌ形交差部にあっては、前記第１のユニットがその一方の開口と第２、第３および第４のユニットの直交開口とが連なるように該第２、第３および第４のユニットに連結され、前記第２のユニットは相互に連結され、第３および第４のユニットは前記第２のユニットにこれらの開口が連なるように連結されている。
【００２６】
したがって、前記Ｔ形交差部においては、前記第１のユニットと、前記第２および第３のユニットとの相互接続面が前記第１のユニットの軸線と直交し、また、前記第２および第３のユニットの相互接続面がこれらの軸線と直交する。前記Ｌ形交差部においても、前記第１のユニットと、第２，第３および第４のユニットとの相互接続面が前記第１のユニットの軸線と直交し、また、前記第２，第３および第４のユニットの相互接続面がこれらの軸線と直交する。
【００２７】
前記第１のユニットの頂部および底部の少なくとも一方には該ユニットの軸線方向に互いに相対する両継手を連結する鉄筋が埋設され、前記第２のユニットの頂部および底部の少なくとも一方に該ユニットの軸線方向に互いに相対する両継手を連結する鉄筋および他の継手に接続され前記鉄筋と直交する鉄筋が埋め込まれ、前記第３のユニットの頂部および底部の少なくとも一方に該ユニットの軸線方向に互いに相対する両継手を連結する鉄筋および他の継手に接続され前記鉄筋と直交する鉄筋が埋め込まれ、また、前記第４のユニットの頂部および底部の少なくとも一方には該ユニットの軸線方向に伸びかつ継手に固定された鉄筋が埋め込まれている。
【００２８】
埋設されたこれらの鉄筋は、それぞれ、各ユニットと前記継手との一体性を高め、また、ユニット相互の前記接続面に対して直交していることから、前記継手を介して連結される両ユニットの分離抵抗が高められる。各ユニット内への鉄筋の埋設に代えて、これらのユニットの頂部上および底部下の少なくとも一方に互いに直交する複数の鉄筋を配置することができる。
【００２９】
【発明の実施の形態】
図１および図２を参照すると、重力ダムの堤体１０内に設けられた通廊が全体に符号１２で示されている。
【００３０】
堤体１０は水平方向すなわち横方向に関して互いに接する複数のブロック１３からなり、各ブロック１３は上下方向に関して複数回に分けて打設されたコンクリートからなる。
【００３１】
図示の通廊１２は、水平に伸びる複数の水平部１４と、高さ位置すなわちレベルの異なる水平部１４相互間にあって一方の水平部から他方の水平部に向けて傾斜して伸びる斜廊部１６と、各水平部１４と各斜廊部１６の下端との間にある昇り口部１８と、各水平部１４と各斜廊部１６の上端との間にある降り口部２０とからなる。
【００３２】
また、通廊１２は、２つの水平部１４が互いに直角に交差しかつ互いに連通する交差箇所または交差部を有する。図示の例では、前記交差部は、最も高位置にある水平部１４の一部をなしている。前記交差部には、平面で見て、Ｔ形に交差するＴ形交差部２２と、Ｌ形に交差するＬ形交差部２４とがある。
【００３３】
前記交差部２２，２４を除く各水平部１４と、各斜廊部１６とは、それぞれ、直列にすなわち軸線方向に互いに連結された複数のユニット２６または１のユニット２６と、直列に連結された複数のユニット２８とからなる。
【００３４】
また、昇り口部１８と降り口部２０とは、それぞれ、１つのユニット３０と１つのユニット３２とからなる。昇り口部１８のユニット３０と、降り口部２０のユニット３２とは、それぞれ、水平部のユニット２６と斜廊部のユニット２８との間にあってこれらのユニットに連結されている。
【００３５】
さらに、Ｔ形交差部２２はユニット２６と同様の形状を有する複数のユニット（第１のユニット）３３と、ユニット２６とは形状を異にする複数のユニット（第２のユニット）３４およびユニット（第３のユニット）３６とからなり、また、Ｌ形交差部２４は複数のユニット３３，３４，３６と、ユニット２６とは形状を異にする他のユニット（第４のユニット）３８とからなる。前記交差部のユニットについては、後に詳述する。
【００３６】
図３、図４，図５および図６に、それぞれ、水平部１４のユニット２６、斜路部１６のユニット２８、昇り口部１８のユニット３０および降り口部２０のユニット３２を示す。これらのユニット２６〜３２は、それぞれ、全体に筒状または環状を呈し、ほぼ矩形の横断面形状を有する。また、これらのユニット２６〜３２は、それぞれ、上下方向に互いに相対する頂部（頂壁）４０および底部（底壁）４２と、両部４０，４２に連なりかつ水平方向に互いに相対する一対の側部（側壁）４４とを備える。したがって、各ユニットは、各部を規定する内外両周面を有する。
【００３７】
各ユニット２６〜３２の頂部４０および各側部４４には、ユニット相互をボルト（図示せず）で連結するための１または複数の継手４６が埋め込まれている。図示の継手４６はボルト挿通用孔が設けられた矩形の鋼板からなり、その一面が各ユニットの各開放端面に露出しかつ前記ボルト挿通用孔が開口している。前記ボルトは、各ユニットに設けられ頂部４０の外面または各側部４４の外面に開放する手入れ用空間４８から差し入れ、前記ボルト挿通用孔に挿通することができる。
【００３８】
さらに、各ユニット２６〜３２の底部４２に、後記脚を支持するための複数の支持板５０が埋め込まれている。図示の例では、底部４２の矩形の底面の四隅に４つの板部材である支持板５０が配置されている。支持板５０は、これらのユニット以外の後述するユニットにも同様に設けられている。
【００３９】
各支持板５０はＬ形の鋼板からなり、その一片部とその他片部とがそれぞれ前記ユニットの各開放端面と底部４２の外面とに露出している。支持板５０には、前記ユニットの底部４２の外面に開放する、前記ユニットを支持するための脚５１を通す孔５２（図２３）が設けられている。前記ユニットには、その各側面４４に開放しかつ孔５２に連通する手入れ空間５４（図２３）が設けられている。
【００４０】
各脚５１は螺旋状に伸びるねじ山を有するねじ節鉄筋片からなる。孔５２に通された前記ねじ節鉄筋には一対のナット５５が螺合されている。両ナット５５は支持板５０の上下に配置され該支持板に接しており、これにより、ねじ節鉄筋片５１が支持板５０に固定されている。ねじ節鉄筋片５１は、両ナット５５を回してねじ節鉄筋片５１に対する両ナット５５の螺合位置を変えることにより、支持板５０に対する上下方向位置を変更、調整することができる。
【００４１】
前記脚を通すための複数の孔は、前記の例に代えて、前記ユニットの底部４２に設けることができる（図７）。
【００４２】
図７を参照すると、底部４２にこれを上下方向に貫通する複数（図示の例では４つ）の雌ねじ部材５６が埋め込まれている。雌ねじ部材５６は、その内面にねじ溝が設けられている。また、前記脚はねじ山を有する棒状の雄ねじ部材５８からなり、雄ねじ部材５８を回すことにより、ユニットの底部４２に対する前記雄ねじ部材５８の上下方向に関する相対位置を変更することができる。
【００４３】
雌ねじ部材５６および雄ねじ部材５８の詳細を図２７に示す。雄ねじ部材５８は溶接により互いに固定された上中下の３つの部分58a,58b,58c からなる。前記ねじ山は中空の中間部58b に設けられ、雌ねじ部材５６には雄ねじ部材５８の中間部58b の下部分とその下部58c の上部分とが受け入れられている。雄ねじ部材５８の下部58c は下方に向けて先細になる先細部分を有する。雄ねじ部材５８は、さらに、前記先細部分とその上方部分との境界の周囲を取り巻くO-  リング（止水リング）５７を有する。止水リング５７は、雄ねじ部材５８が雌ねじ部材５６にねじ込まれた状態において、雌ねじ部材５６内周面に接し、後に打設されるコンクリートが雌ねじ部材５６の前記ねじ溝に侵入することを阻止する作用をなす。
【００４４】
先細の雄ねじ部材５８は、これを取り巻く前記コンクリートの固化物からの引き抜きが容易である。より詳細には、前記雄ねじ部材５８をその軸線の周りに回転させて雌ねじ部材５６から抜き取るとき、先細部分を有しないものと比べて、前記コンクリートから容易に分離する。抜き取った雄ねじ部材５８は再利用することができる。図２７において、符号５９はユニットの底部４２に埋め込まれた雌ねじ部材５６のためのアンカー部材を示す。
【００４５】
各ユニット２６〜３２の内部には上方に向けて開放する排水用溝６０が設けられている。溝６０は、各ユニットの底部４２に設けられ一方の側部４４に近接しかつ該側部に沿って各ユニットの軸線方向へ伸びている。溝６０は、水平部１４のユニット２６と昇り口部１８のユニット３０とにあっては水平に伸び、他方、斜路部１６のユニット２８と降り口部２０のユニット３２とにおいては傾斜している。
【００４６】
また、水平部１４のユニット２６と昇り口部１８のユニット３０との内部には、これらの底部４２に溝６０と他方の側部４４との間に平坦な通行路６１が設けられ、他方、斜路部１６のユニット２８と降り口部２０のユニット３２の底部４２とには、溝６０と他方の側部４４との間に通行用の階段６２が設けられている。
【００４７】
ところで、斜路部１６および降り口部２０のユニット２８，３２にあっては、排水用溝６０の上方へ開放する開放面が階段６２の蹴上げ６４の上端の高さ位置で開放している。溝６０の開放面を階段の蹴上げ６４の上端を含む傾斜面と同じレベルに設定することにより、溝６０の底面のレベルをより上方の位置に設定することができる。このため、溝の開放面が階段の蹴上げの上端より低い高さ位置にあった従来のユニットと比べて、底部４２の厚さ寸法をより小さいものとすること、具体的には、底部４２の外面を蹴上げ６４の上端を含む前記傾斜面と平行な傾斜面とすることができ、これにより、ユニットの軽量化とこれに伴う取り扱いの容易化を図ることができる。図示の例では、斜路部１６におけるユニット２８の底部４２の外面が、頂部４０の外面と同角度で傾斜している（図４）。
【００４８】
再び図３を参照すると、各ユニットには各開放端面に開放する全体に矩形状の溝６６が設けられている。溝６６には、前記開放端面を接して相互に連結される両ユニット間からの水の侵入を防止するためシール材（図示せず）をはめ込むことができる。
【００４９】
次に、図５を参照すると、昇り口部のユニット３０の頂部４０は、水平面６８と、該水平面に連なり上方へ向けて傾斜する傾斜面７０とからなる内面を有する。
【００５０】
このユニット３０は、その水平面６８が規定するユニット３０の一方の開放端面が水平部のユニット２６の開放端面に当接し、また、傾斜面７０が規定する他方の開放端面が斜路部１６のユニット２８の開放端面に当接するように、ユニット２６，２８に接続される。
【００５１】
これによれば、ユニット３０の前記一方の開放端面の高さ寸法を規定する頂部４０の水平面６８と底部４２の水平面６１との間の距離は、ユニット３０の軸線方向に関して一定である。したがって、水平面６８，６１の部分の前記軸線方向長さを変更することにより、予め所定の軸線方向長さのものに設定された複数のユニット２６，２８を用いて、予め定められた横方向長さのブロック１３内に所定長さの通廊を設けることができる。
【００５２】
また、ユニット３０の他方の開放端面の高さ寸法は、ユニット３０の軸線方向に関して変化するところ、斜路のユニット２８の開放端面を規定する頂部内面および底部内面間の高さ寸法と同じものに設定されている。
【００５３】
他方、降り口部２０のユニット３２にあっては、水平面７２と該傾斜面に連なり下方に傾斜する傾斜面７４とからなる内面を有する。
【００５４】
このユニット３２は、その水平面７２が規定するユニット３２の一方の開放端面が水平部のユニット２６の開放端面に当接し、また、傾斜面７４が規定する他方の開放端面が斜路部１６のユニット２８の開放端面に当接するように、ユニット２６，２８に接続される。
【００５５】
これによれば、ユニット３２の一方の開放端面の高さ寸法を規定する頂部４０の傾斜面７４と、底部４２の内面を規定する階段６２の蹴上げ６４についての前記傾斜面とが平行であることから、該傾斜面と傾斜面７４との間の距離は、ユニット３２の軸線方向に関して一定である。したがって、両傾斜面の部分の前記軸線方向長さを変更することにより、予め所定の軸線方向長さのものに設定された複数のユニット２６，２８を用いて、予め定められた横方向長さのブロック１３内に所定長さの通廊を設けることができる。
【００５６】
ユニット３２の他方の開放端面の高さ寸法は、ユニット３２の軸線方向に関して変化するところ、水平部のユニット２６の開放端面を規定する頂部内面および底部内面間の高さ寸法と同じものに設定されている。
【００５７】
次に、図８および図９を参照すると、堤体１０を構成するブロック１３とブロック１３とに跨って配置するのに適するユニット７５が示されている。
【００５８】
図示のユニット７５は、図３のユニット２６とほぼ同様の全体形状を有し、通廊の水平部１４（最下方の位置にある水平部１４）の構成ユニットとして用いられている（図１および図２参照）。
【００５９】
ユニット７５は一対の環状体７６と、環状を呈する帯状の止水板７８とからなる。
【００６０】
両環状体７６はこれらの開放端面において互いに突き合わされている。止水板７８は両環状体７６に埋設されこれらにまたがっている。このことから、止水板７８により両環状体７６相互間から通廊１２内への水の侵入を阻止することができる。
【００６１】
ユニット７５は、現場への搬入、設置時等における取り扱いの上の便宜のため、これらを非分離状態にしておくことが望ましい。この目的のため、図示の例では、両環状体７６の内面に接する山形鋼からなる複数の補構材８２と、各補構材８２を各環状体７６に固定するためのボルト８４とからなる。ボルト８４は、補構材８２を貫通し、各環状体７６に埋め込まれた袋ナット８６に螺合している。ボルト８４および補構材８２は、ユニット７５の設置後に撤去される。
【００６２】
図１および図２を参照すると、ユニット７５と同様のユニット８８が斜廊部１６の構成ユニットとして、両ブロック１３に跨って配置されている。ユニット８８は図４に示すユニット２８とほぼ同じ全体形状を有し、ユニット７５における両環状体７６と同様の構造を有する一対の環状体９０からなる。
【００６３】
次に、図１０、図１１、図１２および図１３を参照すると、Ｔ形交差部２２およびＬ形交差部２４の構成ユニットである、第１のユニット３３、第２のユニット３４、第３のユニット３６および第４のユニット３８がそれぞれ示されている。
【００６４】
図１０に示すように、第１のユニット３３は、図３に示すユニット２６とほぼ同じ形状を有し、ユニット２６と同様にその軸線方向に相対する２つの開口３３a を有する。
【００６５】
図１１に示すように、第２のユニット３４は、側部４４の一方を有しない点でユニット２６と形状を異にする。第２のユニット３４は、したがって、その軸線方向に相対する２つの開口３４a のほか、これらの両開口３４a に連なりかつ該両開口に直交するもう一つの開口（以下「直交開口」という。）３４b を有する。
【００６６】
図１２に示すように、第３のユニット３６は一部が切り欠かれた側部９２を有する点でユニット２６と形状を異にする。このため、第３のユニット３６は、その軸線方向に相対する２つの開口３６a のほか、側部９２が規定するもう一つの開口３６b を有する。開口３６b はその軸線方向に関する前記２つの開口の一方と直交している（以下、開口３６b を「直交開口」という。）
【００６７】
また、図１３に示すように、第４のユニット３８は、その軸線方向に相対する開口の一方と、側部４４の一方とを有しない点でユニット２６と形状を異にする。したがって、第４のユニット３８は、その軸線に直交する単一の開口３８a のほか、該開口に直交する開口（以下「直交開口」という。）３８b を有する。
【００６８】
第１、第２、第３および第４のユニット３３，３４，３６，３８は、ユニット２６との構造上の相違として、ユニット２６に比べてより多くの継手４６を有する。より詳細には、これらのユニットは、その頂部４０に埋め込まれ前記直交開口以外の開口を規定する各開放端面に露出する継手４６の数量が多く、さらに、底部４２にも各開放端面に露出する複数の継手４６が埋め込まれている。
【００６９】
第２のユニット３４は、さらに、頂部４０および底部４２にそれぞれ埋め込まれこれらの自由端面に露出する複数の継手４６を有する。
【００７０】
第３のユニット３６は、さらに、頂部４０に埋設され一方の側壁９２の壁面に露出する継手４６を有する。また、第４のユニット３８は、頂部４０に埋め込まれ該頂部の自由端に露出する継手４６を有する。
【００７１】
第１、第２および第３のユニット３３，３４，３６には、これらの頂部４０内に一対の平行な鉄筋９４が埋め込まれている。両鉄筋９４は各ユニットの軸線方向へ伸び、これらの両端部がそれぞれ前記軸線方向に相対する一対の継手４６に溶接されている。
【００７２】
また、第２および第３のユニット３４，３６の頂部４０内には、両鉄筋９４のほか、さらに、他の一対の平行な鉄筋９６が埋め込まれている。これらの鉄筋９６は、両鉄筋９４の下方をこれらと直交して伸び、両鉄筋９６の一方の端部のみが他の継手４６に溶接されている。この継手４６は第２のユニット３４にあっては頂部４０の自由端に露出し、また、第３のユニット３６にあっては一方の側壁９２の壁面に露出している。
【００７３】
さらに、第４のユニット３８の頂部４０内には、該ユニットの軸線方向に伸びる鉄筋９６が埋め込まれている。これらの鉄筋９６は、該鉄筋の一方の端部のみが開口３８a を規定する開放端面に露出する継手４６に溶接されている。
【００７４】
前記交差部の構成ユニットとして、さらに、図１４に示すユニット９８および図１５に示す蓋板１００を用いることができる。
【００７５】
ユニット９８は、図３に示すユニット２６とほぼ同じ形状を有し、その頂部４０に軸線方向へ伸びる一対の鉄筋９６が埋め込まれている。また、第１のユニット３３と異なり、一方の開放端面の側にのみ多数の継手４６が配置され、他方の開放端面の側にはユニット２６と同様に一つの継手４６が設けられている。両鉄筋９６は、これらの一端部が前記多数の継手４６の一つに溶接されている。また、蓋板１００はプレキャストコンクリート製の板からなり、矩形の平面形状を有し、その一面に露出する複数の継手４６が埋め込まれている。継手４６は、前記矩形の４辺のうち下方の１辺を除く３辺に沿って配置されている。
【００７６】
なお、鉄筋９４，９６は、さらに、前記ユニットの頂部４０におけると同じ態様で、底部４２内にも配置することができる。鉄筋９４，９６はこれらの端部が溶接された継手４６に作用する引張り力に対する対抗力を高める。
【００７７】
再び図１および図２を参照すると、Ｔ形交差部２２は、斜廊部１６に連なる最高位の水平部１４と、他の水平部１４a との交差箇所にあり、また、Ｌ形交差部２４は水平部１４と、他の水平部１４b との交差箇所にある。
【００７８】
前記斜廊部に連なる図示の水平部１４は、図３に示すユニット２６に引き続き、順に、図１４に示すユニット９８、図１２に示す第３のユニット３６、図１１に示す２つの第２のユニット３４、第３のユニット３６，２つのユニット９８，第３のユニット３６、２つの第２のユニット３４および図１３に示す第４のユニット３８が直列に配置されかつ相互に連結されてなる。
【００７９】
これらのユニットは、各ユニットの開放端面を接してかつ該開放端面に露出する継手４６を介して連結されている。
【００８０】
また、水平部１４と直交する水平部１４a は、水平部１４における２つの第３のユニット３６および該ユニット間の２つの第２のユニット３４に連結された第１のユニット３３（図１０）と、ユニット９８と、複数のユニット２６とが直列に配置されかつ相互に連結されてなる。
【００８１】
第１のユニット３３とユニット９８とはこれらの開放端面を接して、かつ、第１のユニット３３の一方の開放端面に露出する継手４６と、ユニット９８の鉄筋９６が連結された頂部の継手４６および底部の継手４６とを介して連結されている。また、第１のユニット３３と、第２および第３のユニット３４，３６とは、第１のユニット３３の他方の開放端面と、第２のユニットの頂底部４０，４２の前記自由端および第３のユニットの側部９２とを接して、また、第１のユニット３３の前記他方の開放端面に露出する継手４６と、第２のユニット３４の頂底部の前記自由端に露出する継手４６および第３のユニット３６の頂部の側部９２側に露出する継手４６とを介して連結されている。
【００８２】
さらに、水平部１４b は、水平部１４における１つの第３のユニット３６と、該ユニットに連なる２つの第２のユニット３４と、該第２のユニットに連なる第４のユニット３８とに連結された第１のユニット３３と、ユニット９８と、ユニット２６とが直列に配置されかつ連結されてなる。
【００８３】
水平部１４における前記ユニットと、第２のユニットに隣接する第４のユニット３８とは、これらの開放端面を接してかつこれらの開放端面に露出する継手４６を介して連結されている。また、水平部１４b における第１のユニット３３とユニット９８とはこれらの開放端面を接して、かつ、第１のユニット３３の一方の開放端面に露出する継手４６と、ユニット９８の鉄筋９６が連結された頂部の継手４６および底部の継手４６とを介して連結されている。また、第１のユニット３３と、第２、第３および第４のユニット３４，３６，３８とは、第１のユニット３３の他方の開放端面と、第２のユニットの頂底部４０，４２の前記自由端、第３のユニットの側部９２および第４のユニット３８の頂底部４０，４２の前記自由端とを接して、また、第１のユニット３３の前記他方の開放端面に露出する継手４６と、第２のユニット３４の頂底部の前記自由端に露出する継手４６、第３のユニット３６の頂部の側部９２側に露出する継手４６および第４のユニット３８の頂部の自由端に露出する継手４６とを介して連結されている。
【００８４】
Ｔ形交差部２２は、水平部１４における２つのユニット９８と、該ユニット間の２つの第３のユニット３６と、該第３のユニット間の２つの第２のユニット３４と、水平部１４a における第１のユニット３３およびユニット９８とからなる。
【００８５】
Ｔ形交差部２２における第２および第３のユニット３４，３６については、これらの軸線方向に相対する開口３４ａ，３６ａが互いに連なり、また、これらの直交開口３４ｂ，３６ｂが互いに連なっている。また、各第３のユニット３６に接する各ユニット９８はその軸線方向に相対する両開口９８ａの一方で連なっている。さらに、第１のユニット３３については、その軸線方向に関する一方の開口３３ａと、第２および第３のユニット３４，３６の直交開口３４ｂ，３６ｂとが連通している。また、第１のユニットの他の一方の開口３３ａは、これに接するユニット９８の軸線方向に関する両開口の一方９８ａに連なっている。これにより、水平部１４と水平部１４ａとが相互に連通している。
【００８６】
また、Ｌ形交差部２４は、Ｔ形交差部２２におけるユニット９８に隣接する、水平部１４におけるユニット９８、第４のユニット３８、これらのユニット間の２つの第２のユニット３４および１つの第３のユニット３６と、水平部１４ｂにおける第１のユニット３３およびユニット９８とからなる。
【００８７】
Ｌ形交差部２４における第２、第３および第４のユニット３４，３６，３８については、これらの軸線方向に関する開口３４a ，３６a ，３８a が互いに連なり、また、これらの直交開口３４b ，３６b ，３８b が互いに連なっている。また、第３のユニット３６およびＴ形交差部２２のユニット９８に接するＬ形交差部２２のユニット９８は、その軸線方向に相対する両開口９８a がそれぞれ第３のユニット３６の開口３６a とＴ形交差部２２のユニット９８の開口９８a とに連なっている。さらに、第１のユニット３３については、その軸線方向に関する一方の開口３３a と、第２、第３および第４のユニット３４，３６，３８の直交開口３４b ，３６b ，３８b とが連通している。また、第１のユニットの他の一方の開口３３a は、これに接するユニット９８の軸線方向に関する両開口の一方９８a に連なっている。これにより、水平部１４またはＴ形交差部２２と水平部１４ｂとが相互に連通している。水平部１４b の先端のユニット２６の一方の開口が蓋板１００で覆われている。ユニット２６および蓋板１００も、また、これらの相対する面に露出する継手４６を介して相互に連結されている。
【００８８】
Ｔ形交差部２２およびＬ形交差部２４のいずれにあっても、これを構成するユニットの相互接合面がこれらのユニットの軸線に直交しており、しかも、これらの構成ユニットに埋設された鉄筋９４，９６が前記相互接合面に直交している。このことから、これらの交差部においては、前記ユニット相互を引き離す作用をなす該ユニットの軸線方向への外力に対する抵抗力が高い。このため、前記交差部は大きい構造強度を有する。
【００８９】
図１６を参照すると、ユニットに鉄筋９４，９６を埋設することに代えて、水平部１４の構成ユニットの上方またはその下方の少なくとも一方に水平部１４の軸線方向に伸びる２組の複数の鉄筋１０２を配置し、さらに、各直交水平部１４a ，１４b の構成ユニットの上方またはその下方の少なくとも一方にこれらの軸線方向に伸びる、すなわち鉄筋１０２と直交する複数の鉄筋１０４，１０６を配置することができる。ただし、Ｔ形交差部２２およびＬ形交差部２４を構成する各ユニットの形状は前記したと同じである。また、これらのユニットに設けられる継手４６は前記したユニットにおけるより少数とすることができる。
【００９０】
これらの鉄筋１０２，１０４，１０６は、堤体１０のコンクリート中に埋もれ、該コンクリートと一体となる各交差部のユニット相互の補強すなわちユニット相互の接合強度を高める作用をなす。
【００９１】
前記した全てのユニットは、次のようにして、構築途上の堤体１０の一部であるブロック１３上に据え付けることができる。
【００９２】
代表的にユニット２６の据え付け工程を示す図１７ないし図２１を参照すると、ユニット２６の底部４２の支持板５０（図２３参照）に脚５１を取り付けた後、クレーン（図示せず）でユニット２６を吊り下げ、ブロック１３上に置く（図１７および図１８）。
【００９３】
複数の脚５１を介してブロック１３上に置かれたユニット２６は、ブロック１３の表面の不陸の程度に応じて、ナット５５を回して該ナットと脚５１との螺合位置を変更することにより、これを所定の高さ位置にまた水平に維持することができる。符号１０８および１１０は、前記クレーンによるユニット２６の吊り下げのために用いられるコ字形の治具およびこれを吊り下げるためのワイヤである。吊り下げに先立ち、治具１０８とユニット２６の両側部に設けられた孔（図示せず）にこれらを貫通するピン１１２が差し込まれる。
【００９４】
ユニット２６は、予めブロック１３に植え込まれた２対のアンカー部材１１４間に配置される。アンカー部材１１４は、全体に逆U 字形を呈しその湾曲部がブロック１３の上方に突出している。
【００９５】
その後、ユニット２６の各側部４４に予め埋め込まれた一対のインサート（図示せず）に被連結部材である一対のアイボルト１１６をねじ込んでこれらをユニット２６に取り付ける。アイボルト１１６は、ユニット２６のブロック１３上への配置前に取り付けておいてもよい。
【００９６】
次に、治具１０８およびワイヤ１１０を撤去した後、各アンカー部材１１４と各アイボルト１１６とにターンバックル１１８の両端のフックを引っかける。各ターンバックル１１８の締め付け操作により、ユニット２６がブロック１３に堅固に固定される。一対のターンバックル１１８は互いに交差するように配置する（図２２参照）。これにより、ユニット２６の水平方向への移動を拘束することができる。ターンバックル１１８はその長さ寸法が可変であり、また、アンカー部材１１４およびアイボルト１１６の配置位置に応じた姿勢または角度に配置することができるため、ブロック１３へのユニット２６の固定を容易に行うことができ、また、アンカー部材１１４の正確な配列を必要とせず、したがって、アンカー部材１１４の設置を比較的容易に行うことができる。
【００９７】
その後、ユニット２６下およびその周囲に、コンクリート１２０を打設する。ブロック１３上に打たれるコンクリート１２０は後に固化して堤体１０の一部をなす。
【００９８】
ユニット２６の下部４２がコンクリート１２０で埋もれる程度までになったとき、コンクリート１２０に埋もれたターンバックル１１８の一部１２２を残して、他の部分すなわちアイボルト１１６に引っかけられたフックを有する上部１２４と、該上部に螺合された中間部１２６とを撤去する。これらの他の部分は、再使用に供することができる。その後、さらに、コンクリート１２０上にコンクリート１２８を打設する。
【００９９】
図２４および図２５を参照すると、斜路部１８の構成ユニット２８の据え付けを行う場合について示されている。
【０１００】
ユニット２８は、その底部４２の外面が傾斜しているため、脚５１のユニット２８下の長さ寸法が長短に設定される。これにより、ユニット２８が所定の高さ位置に維持される。ユニット２８の据え付けに当たっては、先に据え付けられたユニット２８の下部の周りの取り巻くコンクリート１２０中にアンカー部材１１４が植え込まれる。ユニット２８は、その後、ユニット２６におけると同様にしてブロック１３、より正確にはコンクリート１２０上に据え付けられる。
【０１０１】
再び図３を参照すると、ユニット２６の下部４２には、好ましくは、ユニット２６下に回り込んだ打設コンクリート中の空気を抜くための複数の孔１３０が設けられる。水平な底部外面を有する他のユニットにもこのような孔１３０を設けることができる。
【０１０２】
さらに、ユニットの下部４２には該下部を上下方向に貫通する複数の管部材１３２が埋設されている。これらの管部材１３２は、通廊の設置後、通廊の内部からダム底部の地中にカーテングラウトを施工するために利用される。すなわち、管部材１３２からボーリングを行い、後に管部材１３２を通してボーリング孔内にグラウトを注入することができる。管部材１３２の詳細を図２８に示す。管部材１３２は鋼製のそれからなり、その頂部内周面にねじ溝１３４が設けられている。管部材１３２の頂部開口は、そのねじ溝１３４に螺合されたプラグ１３６により、閉鎖されている。符号１３８は、ユニットの底部４２に埋め込まれる、管部材１３２のためのアンカー部材を示す。管部材１３２を底部４２に予め埋め込んでおくことにより、非埋設の場合と比べて、次のような利点がある。非埋設の場合、前記カーテングラウトの施工はユニットの底部４２に穴をあけて行うが、このとき、前記ユニット内の鉄筋が傷つけられあるいは切断され、このために構造上の弱点が生じるおそれがある。管部材１３２を予め埋設しておくことにより、このような構造上の弱点を将来することがない。
【０１０３】
再び図３を参照すると、前記ユニットには、その上部４０に埋込金物１４０を埋設しておくことが望ましい。埋込金物１４０は、通廊の設置完了後、該通廊の内部における人・物移動用モノレールのためのレール用保持金具を前記通廊内に配置するために用いられる。
【０１０４】
また、図２６に示すように、ユニット２６下のコンクリート１２０中の空気を上方に導くことができるように、ユニット２６の底部４２の外面を該ユニットの両側部４４から違いに一方の側に向けて下方に傾斜する２つの傾斜面１３３とすることができる。両傾斜面を設けることに代えて、例えば、通廊の軸線方向に関して傾斜する１つの傾斜面からなる底部外面とすることができる。
【図面の簡単な説明】
【図１】堤体中の通廊の概略的な側面図である。
【図２】堤体中の通廊の概略的な平面図である。
【図３】通廊の水平部の構成ユニットの斜視図である。
【図４】通廊の斜路部の構成ユニットの斜視図である。
【図５】通廊の昇り口部の構成ユニットの斜視図である。
【図６】通廊の降り口部の構成ユニットの斜視図である。
【図７】水平部の構成ユニットの他の例の斜視図である。
【図８】堤体を構成する二つのブロックに跨って配置される水平部の構成ユニットの正面図である。
【図９】図８の線９−９に沿って得た縦断面図である。
【図１０】通廊の交差部の第１のユニットの斜視図である。
【図１１】第２のユニットの斜視図である。
【図１２】第３のユニットの斜視図である。
【図１３】第４のユニットの斜視図である。
【図１４】交差部に配置するのに適する他のユニットの斜視図である。
【図１５】通廊の行き止まりを形成するために用いられる蓋板の斜視図である。
【図１６】他の例の交差部の平面図である。
【図１７】ユニットを吊り下げている状態を示す説明図である。
【図１８】ユニットをブロック上においた状態を示す説明図である。
【図１９】ユニットをブロックに固定した状態を示す説明図である。
【図２０】ブロック上にコンクリートを打設している状態を示す説明図である。
【図２１】ユニットの一部がコンクリートに埋設された状態を示す説明図である。
【図２２】ブロックに固定された状態のユニットの側面図である。
【図２３】ユニットの底部の部分拡大側面図である。
【図２４】斜路部の構成ユニットを吊り下げている状態を示す斜視図である。
【図２５】斜路部の構成ユニットをブロック上においた状態を示す斜視図である。
【図２６】底部外面が２つの斜面からなるユニットの正面図である。
【図２７】ユニットの脚の他の例の拡大縦断面図である。
【図２８】ユニットの底部に埋設される管部材の拡大斜視図である。
【符号の説明】
１０  堤体
１２  通廊
１３  ブロック（構築途上の堤体）
１４，１４a ，１４b   通廊の水平部
１６，１８，２０  通廊の斜廊部、昇り口部および降り口部
２２，２４  Ｔ形交差部およびＬ形交差部
２６，２８，３０，３２，９８  ユニット
３３，３４，３６，３８  交差部における第１、第２、第３および第４のユニット
４０，４２，４４  ユニットの頂部、底部および側部
４６  継手
５０  支持板
５１，５８  脚
６０，６２  排水用溝および階段
７６，９０  環状体
９４，９６  ユニットに埋設された鉄筋
１１４  アンカー部材
１１６  アイボルト（被連結部材）
１１８  ターンバックル
【図１】
0003872178.tif 000002
【図２】
0003872178.tif 000003
【図３】
0003872178.tif 000004
【図４】
0003872178.tif 000005
【図５】
0003872178.tif 000006
【図６】
0003872178.tif 000007
【図７】
0003872178.tif 000008
【図８】
0003872178.tif 000009
【図９】
0003872178.tif 000010
【図１０】
0003872178.tif 000011
【図１１】
0003872178.tif 000012
【図１２】
0003872178.tif 000013
【図１３】
0003872178.tif 000014
【図１４】
0003872178.tif 000015
【図１５】
0003872178.tif 000016
【図１６】
0003872178.tif 000017
【図１７】
0003872178.tif 000018
【図１８】
0003872178.tif 000019
【図１９】
0003872178.tif 000020
【図２０】
0003872178.tif 000021
【図２１】
0003872178.tif 000022
【図２２】
0003872178.tif 000023
【図２３】
0003872178.tif 000024
【図２４】
0003872178.tif 000025
【図２５】
0003872178.tif 000026
【図２６】
0003872178.tif 000027
【図２７】
0003872178.tif 000028
【図２８】
0003872178.tif 000029